(57)【特許請求の範囲】
【請求項１】
タブレット盤面上の座標を検出する信号検出ペンにおいて、該信号検出ペンの尾栓部に樹脂チューブが被せられた螺旋管で構成されたケーブルガイドを固定する手段として、前記樹脂チューブの外側に内面側円周上に複数の突起があり、かつ軸方向の複数箇所に切り欠きを設けた抜け止めリングを挿入し、該リングをテーパー状になっている尾栓内部に沿って圧入させ、ケーブルガイドを固定することを特徴とする信号検出ペン。
【発明の詳細な説明】
【０００１】
【発明の属する技術分野】
本発明は座標タブレットの入力ペンに係わり、特に尾栓に取り付けられたケーブルを保護するためのケーブルガイドが抜けないように内面の円周上に突起のついたリングを装備した信号検出ペンに関するものである。
【０００２】
【従来の技術】
従来、樹脂チューブが被っている金属製の螺旋管でできているケーブルガイドの固定方法としては、螺旋管の端面より尾栓にねじ込む分だけ樹脂チューブを切り取り螺旋管を露出させ螺旋部を利用し、金属製の尾栓にねじ込み側面より小ねじを使用して係止している。この状態では尾栓とケーブルガイドである螺旋管が電気的導通状態になっている。
タブレット盤面上の座標を検出する信号検出ペンは、ノイズの影響を受け難くするため尾栓とケーブルガイドの絶縁を必要とするものもある。そのためケーブルガイドを固定しても絶縁がとれるよう内部ねじ部も含め尾栓全体に電着塗装等による絶縁膜を施し、かつ尾栓内部のねじ込み部に接着剤を塗布し、同様に接着剤による絶縁層も設けていた。側面のケーブルガイド回り止め用のねじ止めに関しては樹脂シートをねじ穴に挿入し、小ねじ先端と螺旋管との間に樹脂シートによる絶縁層を設けねじ止めしていた。
【０００３】
【発明が解決しようとする課題】
しかし上記した従来技術では、電着塗装等による絶縁膜は非常に薄く、尾栓内部のねじ山エッヂ部分で金属が露出していることもあり、絶縁が不安定であった。また、絶縁層を兼ねた接着剤による固定は、ねじ山、谷に接着剤を行き渡らせ固着させるための時間もかかり作業性が悪く、歩留まり向上が望めないものであった。
【０００４】
【課題を解決するための手段】
本発明は従来の問題点に鑑みなされたもので、信号検出ペンの尾栓部にケーブルガイドの樹脂チューブ外側に内面側円周上に複数の突起があり、かつ軸方向に複数箇所の切り欠きを設けた抜け止めリングを挿入し、それをテーパー状になっている尾栓内部に圧入させ、ケーブルガイドを固定した信号検出ペンを提案するものである。
【０００５】
【発明の実施の形態】
信号検出ペンのケーブルガイドである樹脂チューブを被せた金属製螺旋管に抜け止めリングを挿入し尾栓内部に圧入する。
【０００６】
【作用】
本発明では、内面側円周上に複数の突起があり、かつ軸方向に複数の切り欠きがある抜け止めリングが樹脂を被覆した螺旋管自体をかむので、ケーブルガイドと尾栓とは絶縁状態にあり、かつケーブルガイドの引っ張りに対して円周上の突起により抜け難く、左右回り方向に対しては軸方向の切り欠き部分のエッヂが樹脂チューブに食い込み回り止めとしての作用を持つ。
【０００７】
【実施例】
本発明の詳細を添付図面に基いて説明する。参照符号１は、座標検出装置２に使用される信号検出ペンであり、座標入力を行うには、信号検出ペン１の先端がタブレット２の盤面上を当接することにより、タブレット２内の各電極線と信号検出ペン１の座標検出軸２１の導体（図示せず）部分が容量結合し、タブレット２内の各電極線から伝わる各電気信号を、信号処理部３で処理することで、信号検出ペン１先端のタブレット２盤面上の座標を検出する。
【０００８】
次に本発明の信号検出ペン１の尾栓部３（後端側）の構造について説明する。図２は本発明の信号検出ペン１の要部断面図である。ケーブルガイド１９を構成している金属製の螺旋管６の外周に樹脂チューブ５が一体成形されており螺旋管６の内部には信号ケーブル７が螺旋管６との隙間を持って挿入されている。樹脂チューブ５の外周には金属製の抜け止めリング４が挿入され尾栓３内部のテーパー部８に沿って圧入される。抜け止めリング４圧入後の位置には、抜け止めリング４が押し戻され抜けないように円周上にリブ１０が形成されている。抜け止めリング４内部の底面には樹脂シート１７が設置されており、螺旋管６の端面が直接抜け止めリング４にあたり電気的導通することを防いでいる。抜け止めリング４は、内面側円周上に螺旋管６のピッチと同一の間隔で複数の突起１１があり、突起１１の形状はケーブルガイド１９をリング内部にセットする方向には、スムースに挿入できるよう傾斜が設けてあり、逆に抜け止めリング４から抜こうとすると突起部分が樹脂チューブに引っかかるような形状となっている。また、抜け止めリング４は尾栓内部のテーパー部８に沿って圧入されるとき外径がテーパー部８に沿って小さくなるようリング軸方向側に複数の切り欠きが形成されている。
【０００９】
今、尾栓外部に出ているケーブルガイド１９を引っ張ると、抜け止めリング４の内面側円周上の複数の突起１１が螺旋管６外周に形成されている樹脂チューブ５に食い込み、ケーブルガイド１９が抜けないようになっている。また、引っ張り方向に対し、尾栓３内部はテーパー状になっているので尾栓３と取付リングが軸方向側に遊びがあったとしてもケーブルガイド１９を引っ張るとリングがケーブルガイド１９の樹脂チューブ５に食い込む方向に力が働くのでますます抜けなくなる。逆に押し込まれる方向に力が加わったときは尾栓内部に形成されている円周上のリブ１０に抜け止めリング４が当たりそれ以上押し込まれないようになっている。ケーブルガイド１９をねじる方向に力を加わえた場合は、抜け止めリング４に形成されている軸方向の切り欠き部分のエッヂ１３、１４が樹脂チューブ５に食い込み回らないようになっている。
【００１０】
図４は抜け止めリング４の他の実施例で、切り欠き位置を軸中心からずらして加工すると切り欠いた端面のエッジ形状がゲーブルガイドが回されたときに食い込みやすくなるよう鋭角なエッヂになるものである。エッヂの方向としては左回り右回りどちらでもエッヂが食い込むような向きになっている。
【００１１】
図５は抜け止めリング４の他の実施例で、切り欠き部の根元を切り欠き幅より大きくし切り欠かれた一枚の册がケーブルガイド１９のねじり方向に対して撓みやすくしているものである。このようにすることによりケーブルガイド１９のねじり方向に対してより強く抜け止めリングが樹脂チューブに食い込みやすくなる。
図６は従来の要部断面図である。
【００１２】
以上の説明から分かるように、本発明では尾栓３内部に抜け止めリング４を圧入固定する簡単な構成で、ケーブルガイド１９の抜け止め、回転止めができ、かつ尾栓３とケーブルガイド１９の絶縁もとれるものである。また、尾栓３と取付リングの滑りに対して取付リングが圧入されることにより十分な滑り止め強度はあるが、別にガタをなくす方法として補助的に尾栓３と取付リングの間に嫌気性の接着剤等を塗布しても良いものである。なお、尾栓３、取付リングは金属製で説明したが特に金属に係わらず、樹脂製でも良く、樹脂製の場合は尾栓内部の軸方向側に縦リブを形成させ、それにあった溝を抜け止めリング４にも形成させ圧入合致させることで、尾栓３と抜け止めリング４の回転方向の滑りを止めることも可能である。
【００１３】
【発明の効果】
本発明の信号検出ペンは、抜け止めリングを使うことによりケーブルガイドの樹脂チューブをホールドでき尾栓との絶縁が可能となる。また、尾栓内部に抜け止めリングがセットされたケーブルガイドを圧入するだけの簡単な作業で固定ができる。
絶縁性を保ちつつケーブルガイド引っ張り抜けやねじりに対し固定強度が望め同時に作業性も向上し歩留まりも良くなるものである。
【図面の簡単な説明】
【図１】    容量結合式座標検出装置の構成図
【図２】    本発明の要部断面図
【図３】    本発明の抜け止めリングの縦断面図
【図４】    他の実施例の抜け止めリングの縦断面図
【図５】    他の実施例の抜け止めリングの縦断面図
【図６】    従来の要部断面図
【符号の説明】
１    信号検出ペン
２    タブレット（座標盤）
３    尾栓
４    抜け止めリング
５    樹脂チューブ
６    螺旋管
７    信号ケーブル
８    テーパー部
９    樹脂シート
１０  リブ
１１  突起
１２  傾斜
１３  エッヂ
１４  エッヂ
１５  穴
１６  小ねじ
１７  樹脂シート
１８  接着剤
１９  ゲーブルガイド
２０  ペンゴム
２１  座標検出軸
【図１】
0003849548.tif 000002
【図２】
0003849548.tif 000003
【図３】
0003849548.tif 000004
【図４】
0003849548.tif 000005
【図５】
0003849548.tif 000006
【図６】
0003849548.tif 000007